(57)【特許請求の範囲】
【請求項１】
ライターを収容する上端開口のライター収容体本体と該ライター収容体本体の開口端に着脱自在に設けられた風防体とからなる風防ケースと、該風防ケースと着脱自在に設けられた線香等収容ケースとよりなることを特徴とする線香等収容ケース付きのライター風防ケース。
【請求項２】
前記風防ケースと前記線香等収容ケースを溝条と突条の摺動自由な嵌合により分離可能に結合することを特徴とする請求項１に記載の線香等収容ケース付きのライター風防ケース。
【請求項３】
前記線香等収容ケースを下方部分のみで前記風防ケースに分離可能に結合し、該線香等収容ケースの上方部分の前記風防ケースに対応する面を開放部としたことを特徴とする請求項１または２に記載の線香等収容ケース付きのライター風防ケース。
【請求項４】
前記線香等収容ケースの前記開放部の下部が斜面になっているとともに、前記風防ケースの上部が前記斜面に当接するようになっていることを特徴とする請求項１、２及び３に記載の線香等収容ケース付きのライター風防ケース。
【請求項５】
前記風防ケースに前記線香等収容ケースの上面の開口を覆う蓋片を形成したことを特徴とする請求項１、２、３または４に記載の線香等収容ケース付きのライター風防ケース。
【発明の詳細な説明】
【０００１】
【発明の属する技術分野】
本発明は、墓参の際に持参する、線香及び／または蝋燭（本明細書においては線香等という）及びこれらに着火するためのライターを収容するケースに関する。
【０００２】
【従来の技術】
従来、ライターを収容したケースに上面を開放した風防を形成したものは公知である。
【０００３】
【発明が解決しようとする課題】
しかしながら、線香等は別の箱に収容していたため、嵩が大きくて持ち運びに不便であり、また、線香等を持参するのを忘れることがあるという課題があった。
【０００４】
【課題を解決するための手段、作用及び効果】
このような課題を解決するための手段として、請求項１の発明は、ライターを収容する
上端開口のライター収容体本体と該ライター収容体本体の開口端に着脱自在に設けられた風防体とからなる風防ケースと、該風防ケースと着脱自在に設けられた線香等収容ケースとよりなる構成としたので、嵩が小さくて持ち運びに便利であり、また、線香等を持参するのを忘れることがない。
さらに、風防ケースと線香等収容ケースとは、分離可能であるから、着火の際に線香等収容ケースを取り外すことにより着火を容易に行うことができる。
また、さらに、風防ケースがライター収容体とそのライター収容体に分離可能に嵌着された風防体とからなるから、ライターの燃料がなくなった時に、風防体を外すことによりライターを取り出して新しいものと交換することができる。
【０００６】
請求項２の発明は、風防ケースと前記線香等収容ケースを溝条と突条の摺動自由な嵌合により分離可能に結合するようにしたから、結合及び分離を容易に行うことができる。
【０００７】
請求項３の発明は、線香等収容ケースを下方部分のみで風防ケースに分離可能に結合し、該線香等収容ケースの上方部分の風防ケースに対応する面を開放部としたものであって、線香等収容ケースを風防ケースから取り外すと、線香等を上からだけでなく横方向からも取り出すことができ、背の低い蝋燭も容易に取り出すことができる。
【０００８】
請求項４の発明は、線香等収容ケースの開放部の下部が斜面になっているとともに、風防ケースの上部が前記斜面に当接するようになっているものであって、開放部の下部が斜面になっているから、背の低い蝋燭をより容易に取り出すことができるとともに、風防ケースの上部が前記斜面に当接するから、線香等収容ケースの側面を閉塞することができて、短い蝋燭などが開放部から落下するのを防止することができる。
【００１０】
請求項５の発明は、風防ケースに線香等収容ケースの上面の開口を覆う蓋片を形成したから線香等がこぼれ落ちるのを防止することができる。
【００１１】
【発明の実施の形態】
以下、本発明の一実施の形態を添付図面に基づいて説明する。
図において、本発明の線香等収容ケース付きのライター風防ケースは、ライターを収容する風防ケース１に線香等を収容する線香等収容ケース１２を分離可能に結合したものであって、風防ケース１はライター収容体２とそのライター収容体２に分離可能に嵌着された風防体７とからなり、ライター収容体２は内部にライターａを収容するグリップ部３とそのグリップ部３の後面に形成された２本の横向きの突条４が形成され、そのグリップ部３の上部に上方が拡大した嵌合部５とからなり、その嵌合部５にはその前面に指入れ孔６が形成されている。
【００１２】
風防体７はライター収容体２の嵌合部５と緊密に嵌合する傾斜部９とその上の筒部８とからなり、筒部８の後面の上縁には蓋片１０が突設されている。
【００１３】
線香等収容ケース１２は、全体として半円筒形をなし、下部の前面は閉塞板１７で塞がれていて、その閉塞板１７と線香等収容ケース１２の間に横向きの溝条１３が形成されており、閉塞板１７の上方は開放部１４となっていて、その開放部１４の端面の略下半分は斜面１５となっている。
【００１４】
本実施の形態においては、使い捨てライターａをライター収容体２内に落とし込み、次いで風防体７を押し込むと、ライターａが押さえ付けられて固定されるとともに、風防体７も摩擦力によりライター収容体２に分離可能に固定される。
【００１５】
したがって、図２に示すように、グリップ部３を手で握って指入れ孔６に親指を差し込んでレバーを押すと着火し、線香ｂや蝋燭ｃに点火することができる。
【００１６】
ライターをａの燃料が無くなった場合には風防体７を外してから新しいライターａと交換する。
【００１７】
線香等収容ケース１２には線香ｂや蝋燭ｃを収容するのであるが、線香ｂは開放部１４の奥に収め、背の低い蝋燭ｃは手前に収めると取り出しやすい。
【００１８】
持ち運びや収納の際には、ライター収容体２をその突条４を線香等収容ケース１２の溝条１３に整合させて、ライター収容体２を線香等収容ケース１２の下方に引き下げると、その斜面１５がライター収容体２の嵌合部５に押し付けられることによりライター収容体２が線香等収容ケース１２から離れようとする力が作用し、その力により突条４が溝条１３に押し付けられることによって生じる摩擦力によって、線香等収容ケース１２とライター収容体２が分離可能に結合される。
【００１９】
この結合状態において、蓋片１０により開放部１４の上面が閉塞されて、線香等の飛び出しが防止されるようになっている。
【００２０】
線香等収容ケース１２の後ろ側には釣り紐通し用の半円形突起が形成されている。
【図面の簡単な説明】
【図１】本発明の一実施の形態のライター収容体の断面図である。
【図２】その使用状態の断面図である。
【図３】本発明の一実施の形態の分解斜視図である。
【図４】その斜視図である。
【図５】ライター収容体の分解断面図である。
【図６】線香等収容ケースの断面図である。
【図７】本発明の一実施の形態の断面図である。
【図８】図８のＡ−Ａ線断面図である。
【図９】図８のＢ−Ｂ線断面図である。
【符号の説明】
１：風防ケース
２：ライター収容体
４：突条
７：風防体
１０：蓋片
１２：線香等収容ケース
１３：溝条
１４：開放部
１５：斜面
【図１】
0003598264.tif 000002
【図２】
0003598264.tif 000003
【図３】
0003598264.tif 000004
【図４】
0003598264.tif 000005
【図５】
0003598264.tif 000006
【図６】
0003598264.tif 000007
【図７】
0003598264.tif 000008
【図８】
0003598264.tif 000009
【図９】
0003598264.tif 000010